(57)【要約】      （修正有）【課題】防火壁体の構成単位として、断熱性・防炎性に優れた防火壁体を自由な形状に施工可能とし、かつ、使用済ペットボトルの再利用を促進して資源リサイクルにも貢献する防火壁用樹脂製ブロック体を提供する。【解決手段】使用済ペットボトルを原材料とし、内部に水又は不燃性の液体を充填可能であって、複数を上下左右に連接することにより防火壁体を構成可能な中空ブロック体１であって、連接するブロック体間で水又は不燃性の液体を流通可能とする連通口４，５を備える防火壁用樹脂製ブロック体。【選択図】図１
0003184005.tif 000002
【実用新案登録請求の範囲】
【請求項１】
内部に水又は不燃性の液体を充填可能であって、複数を上下左右に連接することにより防火壁体を構成可能な樹脂製中空ブロック体。
【請求項２】
前記樹脂製中空ブロック体は、連接するブロック体間で水又は不燃性の液体を流通可能とする連通口を備えることを特徴とする請求項１に記載の樹脂製中空ブロック体。
【請求項３】
前記樹脂製中空ブロック体は、使用済ペットボトルを原材料とすることを特徴とする請求項１又は２に記載の樹脂製中空ブロック体。
【考案の詳細な説明】
【技術分野】
【０００１】
本考案は、建築物の外装又は内装に防火壁体を設けるために使用するブロック体であって、樹脂製の中空ブロック体の内部に水又は不燃性の液体を充填することにより断熱効果を発揮させるブロック体に関するものである。
【背景技術】
【０００２】
隣接建築物での火災発生時の延焼防止を目的として、建築物の外壁等自体を断熱・防炎材料で構成し、あるいは既設の外壁等の表面を防火壁体で覆う等の対策が取られている。また、建築物内での火災発生時における避難経路確保のために内壁を防火壁体とする場合もある。
【０００３】
かかる防火壁体としては、断熱性・防炎性を確保しつつ軽量で施工容易なものが求められるため、ロックウールやガラス繊維、難燃処理を施した素材からなる芯材をアルミ等の表面材で挟んで成る防火パネル等が普及しているが、防火壁体の設置は当然に建築コスト増の要因となる。また、比較的低コストなロックウールは、製造時・廃棄時に発生する粉塵による健康被害の要因ともなる。
【０００４】
一方、断熱性・防炎性の観点からは、比熱が大きな水を断熱材として使用すれば極めて効果的であるが、水を収容する構造の防火壁体は、水密性確保の関係から構造や大きさが制約されるだけでなく、施工箇所に応じた大きさや形状の部材を製作することはコスト高とならざるを得ない。
【０００５】
こうした問題に対して、たとえば特許文献１に記載の断熱材の如く、使用済のペットボトルを折り畳んで立方体又は直方体として水又は防炎材料を充填し、これを金属製のフレームに多数セットした壁構造材を形成し防火壁体とすることが提案されている。このように、廃棄物となるペットボトルを利用すればコストを抑制でき、資源のリサイクル利用にも貢献するというメリットを有する。
【特許文献１】特開２００２−３４８９８３号公開特許公報
【０００６】
しかし、かかる断熱材は、あらかじめペットボトル一本づつを加工して水等を充填し、フレームにセットして断熱材を組み立てる必要がある。そのため、製作に手間が掛かるだけでなく、断熱材自体の重量が大きくなるため運搬上・施工上の労力が大きい。また、施工箇所に形状に応じたフレームの製作はやはりコスト増の要因となる。
【考案の開示】
【考案が解決しようとする課題】
【０００７】
本考案は、上記問題点に鑑みて創案されたものであり、簡易な構造の単一形状の樹脂製中空ブロック体に水又は不燃性の液体を充填して防火壁体の構成単位として、断熱性・防炎性に優れた防火壁体を自由な形状に施工可能とし、かつ、使用済ペットボトルの再利用を促進して資源リサイクルにも貢献することを目的とする。
【課題を解決するための手段】
【０００８】
上記目的を達成するために、本考案は次のような構成を有する。すなわち、請求項１に記載の考案は、内部に水又は不燃性の液体を充填可能であって、複数を上下左右に連接することにより防火壁体を構成可能な樹脂製中空ブロック体である。
【０００９】
本考案は、樹脂製の中空ブロック体をコンクリートブロックやレンガの如く積み上げ、あるいは既存壁面の表面にくまなく貼り付けて壁体とし、その内部に水又は不燃性の液体を充填して防火壁体とするものであり、樹脂として使用済のペットボトルを粉砕・溶解した素材を用い、これを肉厚の薄い中空ブロック体に成形したものを使用する。
【００１０】
中空ブロック体には水を充填すれば最も低コストであるが、密閉の際に雑菌等が混入して腐敗することがないよう、水に防腐剤を含入させることが望ましい。また、寒冷地では冬季に水が凍結して膨張し、中空ブロック体を破損したり防火壁体を変形させるおそれがあるため、水に代えてフッ素系不活性液体等の不燃性の液体を充填して凍結を防止することが望ましい。
【００１１】
本考案では、ペットボトルをそのまま使用する前記先行技術とは異なり素材の成形加工が必要となるが、簡易な構造の単一形状のブロック体の量産により製造コストは低減可能であり、文字通りブロックのように自在に積み上げ・配列が可能であるため、施工箇所の形状に応じて施工できる。
【００１２】
次に、請求項２に記載の考案は、請求項１に記載の樹脂製中空ブロック体であって、連接するブロック体間で水又は不燃性の液体を流通可能とする連通口を備えることを特徴とする。
【００１３】
樹脂製中空ブロック体は、それ自体は極めて軽量であるが、内部に水等を充填した状態では重量が大きく増加するため、運搬・施工上の障害となる。また、防火壁体の施工現場で一つ一つのブロック体にいちいち水等を充填する作業は極めて煩雑である。
【００１４】
本考案では、個々のブロック体に、連接するブロック体間で水又は不燃性の液体を流通可能とする連通口を備えるため、積み上げて連接させた状態においてブロック体同士の内部空間は一体的に繋がる形となる。施工時には、空の状態のブロック体を相互の連通口を接続させつつ積み上げ・配列して防火壁体を完成させる。その後、最上部のブロック体の上部に開口する連通口から水又は不燃性の液体を注入し、すべての中空ブロック体の内部を満たすことができる。
【００１５】
連通口は一つのブロック体の最上部と最下部に少なくとも一つづつ設けるが、ブロック体の形状や大きさによりその個数及び配置は任意である。ただし、水又は不燃性の液体を充填した際にブロック体の内部に空気が残留しないよう、連通口の一部は排気口を兼ねるよう配置することが適当である。
【００１６】
次に、請求項３に記載の考案は、請求項１又は２に記載の樹脂製中空ブロック体であって、前記樹脂製中空ブロック体は、使用済ペットボトルを原材料とすることを特徴とする。
【００１７】
ペットボトルの一般的な素材であるポリエチレンテレフタラート（ＰＥＴ）は融点が２６４℃であるが、内部に水又は不燃性の液体を充填した状態では高熱に晒されても熱は内容物に吸収されるため中空ブロック体は容易には融解せず、防火壁体として高い断熱性・防火性を発揮する。また、ＰＥＴは可塑性に富み薄肉成形し易いため、中空ブロック体は自在な形状で極めて軽量に製作可能である。
【考案の効果】
【００１８】
本考案に係る樹脂製中空ブロック体は、使用済ペットボトルを素材としてコンクリートブロックやレンガと同様単一の形状の部材として製造するため、低コストで量産が可能であり、ペットボトルのリサイクル利用促進を通じて資源の有効活用を図れる。樹脂製中空ブロック体自体は極めて軽量なため、防火壁体の施工現場までの運搬や組立施工上の負担も小さく、施工箇所の条件に応じて自在な形状の防火壁体を構築することができる。また、内部に充填した比熱の大きな水や不燃性の液体は低コストかつ断熱材としての性能が高く、一般的な断熱材を用いる場合に比べて費用対効果の高い防火壁体を構築することができる。さらに、防火壁体を撤去する場合においても、単に防火壁体の最下部に位置するブロック体に孔を空けてやれば、充填された水や不燃性の液体は重力の作用で排出され、その後ブロック体は解体して再利用可能となるため、環境負荷も極めて小さい。
【考案を実施するための最良の形態】
【００１９】
以下では、本考案に係る樹脂製中空ブロック体及びこれを用いた防火壁体の施工について、図１乃至図３により詳述する。
【００２０】
図１は、本考案に係る樹脂製中空ブロック体の一実施例を示す斜視図である。左図はブロック体の表側面から見た状態、右図は裏側面から見た状態を示すが、上下は反転している。ブロック体１は下方に凸部２、上方に凹部３を有する略直方体を成し、施工時には凸部２を連接するブロック体１の凹部３に嵌合させることにより、連接したブロック体１から成る防火壁体の表面は面一となる。
【００２１】
ブロック体１の凹部３には上部連通口４を、凸部２には下部連通口５をそれぞれ一対づつ設けており、上部連通口４は上方に連接するブロック体の下部連通口５に、下部連通口５は下方に連接するブロック体の上部連通口４にそれぞれ結合する。各連通口はいずれも嵌め込み式の水密バルブから成り、上下のブロック体１の凸部２と凹部３を適切に連接させることにより水密バルブが相互に嵌合してブロック体１同士を固定させるとともに、連通口４、５を通じて液体がブロック体１間を自由に通過でき、外部への液体の漏出を防止する。また、ブロック体１の裏面左右両端には一対のリブ６を設けている。このリブ６は防火壁体の施工時に後述する取付フレームＦの縦桟の間にブロック体１を嵌合させて固定するためのものである。
【００２２】
図２は、本考案に係る樹脂製中空ブロック体を用いて既存建築物の外壁の表面に防火壁体を構築する場合の工程の一例を示す斜視図である。左図において、まず、既存の壁Ｗの表面にフレームＦを敷設し、さらにその基部の外側接地面にベースＢを敷設する。フレームＦは木材又は軽金属製の縦横桟を組み合わせて成る格子状の部材であり、格子の縦桟の間隔はブロック体１の一対のリブ６の間隔に対応している。一方、ベースＢはブロック体１下面の凸部２に対応する凹状の溝を有するレール状の部材であり、防火壁体の基礎を成すものである。右図は、敷設されたフレームＦに沿ってベースＢ上にブロック体１を積み上げることにより防火壁体を構築する工程を示している。
【００２３】
図３は、同じ防火壁体の構築工程の一例を示す断面図である。イ図は既存の壁Ｗの前にフレームＦ及びベースＢを敷設した状態、ロ図はフレームＦに沿ってベースＢ上にブロック体１を積み上げる工程を示している。
【００２４】
ハ図は、積み上げたブロック体１に水又は不燃性の液体Ｌを注入する工程を示す。最上段のブロック体１の上部連通口４に挿入したホースＨにより液体Ｌを注入すると上下の連通口４、５を介して液体Ｌは順次下方のブロック体１に落下して最下段のブロック体１から順に内部に液体Ｌが満たされていく。
【００２５】
ニ図は、防火壁体の完成状態を示す。すべてのブロック体１の内部に液体Ｌが充満した後に最上部のブロック体１の上部連通口４を密閉する。その後、ブロック体１の表面全面を被覆材Ｓで覆い、防火壁体が完成する。被覆材Ｓの素材や性質は特に限定されないが、壁Ｗが外壁である場合は耐候性の高い防火シートを接着、あるいはモルタルやリシン、スタッコ等を直接吹き付けても良いし、下地材を塗布した上でタイルを貼付けても良い。また壁Ｗが内壁である場合は、防炎クロスや耐火パネル等を敷設しても良い。
【００２６】
以上、本考案を上記実施の形態により詳述してきたが、具体的な構成はこの実施の形態に限られるものではなく、本考案の要旨を逸脱しない範囲の設計変更等があっても本考案に含まれる。本実施例は既存の壁への防火壁体の施工を想定しているが、本考案に係る樹脂製中空ブロック体は施工段階において従前のコンクリートブロックやレンガと同様に取り扱えるので、建築物の新築時に防火壁として施工することも可能である。また、ブロック体の厚みを薄く成形することにより、壁だけでなく天井や軒裏材の耐火構造にも適用可能である。
【産業上の利用可能性】
【００２７】
本考案に係る樹脂製中空ブロック体は、既存建築物に防火壁体を追加し、あるいは新築建築物における防火壁の構築等に利用可能である。
【図面の簡単な説明】
【００２８】
【図１】本考案に係る樹脂製中空ブロック体の一実施例を示す斜視図
【図２】本考案に係る樹脂製中空ブロック体を用いて既存建築物の外壁の表面に防火壁体を構築する場合の工程の一例を示す斜視図
【図３】本考案に係る樹脂製中空ブロック体を用いて既存建築物の外壁の表面に防火壁体を構築する場合の工程の一例を示す断面図
【符号の説明】
【００２９】
１      ブロック体
２      凸部
３      凹部
４      上部連通口
５      下部連通口
６      リブ
Ｗ      壁
Ｆ     フレーム
Ｂ      ベース
Ｌ      水又は不燃性の液体
Ｈ      ホース
Ｓ      被覆材
【図１】
0003184005.tif 000003
【図２】
0003184005.tif 000004
【図３】
0003184005.tif 000005